(57)【要約】【課題】  実際のホールの大きさを想定し、カップインとカップアウトがより正しく判断可能な、練習者にとって信頼性・安心度の高いゴルフパット練習用標的を提供することを課題とする。【解決手段】  外形形状が円柱であり、前記円柱の端面６に平行な断面の外形直径２３が６２ｍｍ以上６８ｍｍ以下であり、前記円柱の高さ２０が１０５ｍｍ以上１１１ｍｍ以下であり、かつ、前記円柱の一方端面である底面から高さ２１．５ｍｍの下部円柱部分３１の密度が、残余の部分である上部円柱部分３２の密度よりも大きいゴルフパット練習用標的である。【選択図】図２
0003108289.tif 000002
【実用新案登録請求の範囲】
【請求項１】
円柱形状であり、前記円柱の端面（６）に平行な断面の直径が６２ｍｍ以上６８ｍｍ以下であるゴルフパット練習用標的。
【請求項２】
前記円柱の高さ（２０）が１０５ｍｍ以上１１１ｍｍ以下である請求項１記載のゴルフパット練習用標的。
【請求項３】
前記円柱の一方端面である底面から高さ２１．５ｍｍの下部円柱部分（３１）の密度が、残余の部分である上部円柱部分（３２）の密度よりも大きいことを特徴とする請求項１乃至２いずれか記載のゴルフパット練習用標的。
【請求項４】
請求項１乃至３いずれか記載のゴルフパット練習用標的において、その円柱である外形を、前記底面に垂直な前記円柱の回転軸（４２）に平行な仮想的平面（４３）で２分割し、生じる２つの分割体の中で、体積の大きい方である分割体の形状とした、ゴルフパット練習用標的。
【請求項５】
請求項１及至４いずれかの記載のゴルフパット練習用標的に、衝撃センサーと音発生手段を具備し、前記衝撃センサーが前記ゴルフパット練習用標的に加えられた衝撃を検知した時に前記音発生手段に対して検知信号を発し、前記音発生手段が前記検知信号を受領すると音を発生することを特徴とする請求項１及至４いずれかの記載のゴルフパット練習用標的。
【考案の詳細な説明】
【技術分野】
【０００１】
この考案は、練習グリーン上、室内など任意の場所で、ゴルフパットの練習をする時の標的に関するものである。
【背景技術】
【０００２】
従来、ゴルフパットの標的として、円錐形状をした標的本体の頂部に軸状突起部を設けて当該突起部の上部に発音体を取り付けたもの（以下円錐状標的という）が提案されている（特許文献１参照）。
また、左右一対の停止部材をヒンジで連結し、停止部材の両端がホール径と等しい状態に開口するゴルフパット練習用標的（以下半円壁状標的という）が提案されている（特許文献２参照）。
【０００３】
【特許文献１】特開平４−２７６２７５号公報
【特許文献２】実開平６−６３０７６号公報
【考案の開示】
【考案が解決しようとする課題】
【０００４】
上記の円錐状標的は、ホールの大きさよりも小さいものであって、いわばピンポイントのパットを練習するものである。
【０００５】
一方、上記の半円壁状標的は開口部がホール径と等しくされているので、実際のホールの大きさを想定したパット練習が意図されている。もし、ゴルフボールが真正な球体であり、開口部端面が線であり、かつ、ゴルフボールと半円壁状的が理想剛体であれば、練習球である開口部端面に当接するゴルフボールは正しく判定され、カップインのボールは壁内に、カップアウトのボールは壁外に分けられる。
【０００６】
しかし、現実には、ゴルフボールは表面にディンプルを有し、開口部端面は面であり、また、ゴルフボールと半円壁状的は理想剛体でないので、開口部に当接するボールは正しく判別されない。すなわち、開口部端面とゴルフボールが多少ズレて当たっても、真正面にあたっても、ボールは開口部端面近傍に留まる。さらに、半円壁状標的が動いてボールの衝突エネルギーを吸収すると、この傾向が強まる。
【０００７】
そこで、本考案は、実際のホールの大きさを想定し、カップインとカップアウトがより正しく判断可能な、練習者にとって信頼性・安心度の高いゴルフパット練習用標的を得ることを課題とする。
また、本考案は、ボールが衝突した時に音が発せられ、楽しく練習できるゴルフパット練習用標的を得ることを課題とする。
【０００８】
本考案のその他の課題は、以下の考案の説明より明らかになる。
【課題を解決するための手段】
【０００９】
上記の課題を解決するために、本考案の一の態様にかかるゴルフパット練習用標的は、円柱形状であり、前記円柱の端面に平行な断面の外形直径が６２ｍｍ以上６８ｍｍ以下である。
すなわち、当該ゴルフパット練習用標的の直径は、ホールの直径（４．２５インチ）からゴルフボールの直径（１．６８インチ）を引いた値の近似値とされる。このため、パットの練習球が当該標的に当接すれば、すなわち、実際のホールにカップインするであろうと、より高い確率で判断できる。
【００１０】
本考案の好ましい実施態様にかかるゴルフパット練習用標的にあっては、前記円柱の高さが１０５ｍｍ以上１１１ｍｍ以下であってもよい。
すなわち、当該ゴルフパット練習用標的の高さは、実際のゴルフホールの直径（４．２５インチ）の近似値とされる。このゴルフパット練習用標的を横に倒して設置して、標的とし、実際のゴルフホールの直径を認識しつつ、パットの練習をすることもできる。
【００１１】
本考案の好ましい他の実施態様にかかるゴルフパット練習用標的にあっては、前記円柱の一方端面である底面から高さ２１．５ｍｍの下部円柱部分（３１）の密度が、残余の部分である上部円柱部分（３２）の密度よりも大きくてもよい。
ゴルフボールは、その半径分の高さ部分で標的に当たる。この好ましい実施態様において、標的はこの衝突位置よりも下部部分の密度を大きくしたので、練習球が当たっても倒れる確率が低くなる。従って、より練習が容易となる。
【００１２】
本考案の他の態様にかかるゴルフパット練習用標的は、一の態様にかかるゴルフパット練習用標的において、その円柱である外形を、前記底面に垂直な前記円柱の回転軸（４２）に平行な仮想的平面（４３）で２分割し、生じる２つの分割体の中で、体積の大きい方である分割体の形状とした。
これにより、一方向から練習する場合には、円柱形のゴルフパット練習用標的と同様に練習が可能となる。また、横に倒して設置して、練習する場合には、標的が転がりにくくなる効果が得られる。
【００１３】
本考案の他の態様にかかるゴルフパット練習用標的は、上述した一の態様にかかるゴルフパット練習用標的に、衝撃センサーと音発生手段を具備し、前記衝撃センサーが前記ゴルフパット練習用標的に加えられた衝撃を検知した時に前記音発生手段に対して検知信号を発し、前記音発生手段が前記検知信号を受領すると音を発生するようにしても良い。
駆動手段を具備する音発生手段を設けたので、的中時の音が確実、明瞭に発せられる。このため、より楽しく練習できる効果が得られる。
【考案の効果】
【００１４】
本考案にかかるゴルフパット練習用標的は、実際のホールの大きさを想定し、カップインとカップアウトがより正しく判断可能となる。このため、実践に即した練習が可能となる。このゴルフパット練習用標的は、簡便なものであり、壊れにくく、持ち運びが容易で、また、安価に作成が可能である。
【００１５】
また、練習時に視覚に捕らえられる的の直径は、実際のホールの大きさよりも小さい。すなわち、グリーンに切ってあるカップよりも小さい標的を用いて練習することにより、実際のラウンド時には、ホールが大きく感じられるという精神的な効果が得られる。
【考案を実施するための最良の形態】
【００１６】
本考案にかかるゴルフパット練習用標的は、外形形状が円柱であればよく、内部に空間部分があってもよい。さらに、円柱の端面を下にして（縦に）設置した場合に練習球が当接する部分、すなわち、一方端面である底面から１０ｍｍ以上、３０ｍｍ以下の部分は、その全周囲に壁面が存在する必要があるが、他の部分の壁面は穴があってもよい。さらに端面である底面と上面は、壁面があってもよく、なくてもよい。
【００１７】
また、ゴルフパット練習用標的が分割形状である場合には、その分割平面である側面は、壁面があってもよく、無くてもよい。なお、仮想平面による分割操作で生じる分割体として、その形状を説明しているが、当該操作はあくまでも形状を説明するためだけのものであり、実際のゴルフパット練習用標的の製作にあたっては、必ずしも分割操作をする必要はない。例えば、適宜の金型に溶融樹脂を入れて、当該分割体形状のゴルフパット練習用標的を製作してもよい。
【００１８】
ゴルフパット練習用標的の材質は特に制限はなく、金属（ステンレススチール、アルミニウムなど）、合成樹脂、木などが使用できる。自然に親しむゴルフというスポーツの性格から、天然素材である木材を材料とすることが好ましい。
【００１９】
ゴルフパット練習用標的の断面の直径や、高さなどは、ゴルフボールとホールの直径から計算により得られる正確な値であることが好ましい。しかし、ゴルフパット練習用標的を実際に製作すると加工公差が生じる。また、実際のゴルフプレーにおいては芝の影響もある。また、練習場であるパター練習場、じゅうたんの表面の粗さなどを考慮すると、計算上の値±３ｍｍ程度が許容される。
【００２０】
以下に実施例により、本考案にかかるゴルフパット練習用標的をさらに説明する。この考案の実施例に記載されている部材や部分の寸法、材質、形状、その相対位置などは、とくに特定的な記載のない限りは、この考案の範囲をそれらのみに限定する趣旨のものではなく、単なる説明例にすぎない。
【実施例１】
【００２１】
図１は本考案に係るゴルフパット練習用標的Ａ（１）の使用状態を示す説明図である。標的Ａ（１）を練習場所に設置し、ゴルフボール２をパター３で打つことにより、パット練習をする。
図２は標的Ａの作用を説明する説明図である。図２中破線８は、実際のホールの縁を示している。線分２１はホール８の直径を示しており、長さは約１０８ｍｍ（４．２５インチ）である。また、線分２２はゴルフボール２の直径を示し、その長さは約４３ｍｍ（１．６８インチ）である。さらに、線分２３は標的Ａ（１）の底面６の直径を示しており、長さは約６５mm（２．７５インチ）である。底面６は円柱の端面であって円形であり、円柱の端面に平行な断面（その形状は円）と等しい。
【００２２】
ボールがカップインするためにはボールの重心がカップの内側になくてはならない。ボールの重心がカップの縁にあるとき、ボールの半分がカップの内側に位置することになる。従って、標的Ａ（１）の側壁にボールが接触すれば、すなわち、ボールがカップインすることになる。実際には、グリーンの傾斜、ボールの回転方向・移動速度なども、ボールのカップインを決定する要素となるが、標的Ａ（１）に接触するボールは、カップインの確率が高い。
【００２３】
以上説明した、仮想的なカップの縁と標的Ａ（１）の側壁との関係は、中心をはさんで反対側でも成立する。このため、標的Ａの断面の直径は、ホール８の直径からボール２の直径を差し引いた長さに等しい長さとなるように設計される。
【００２４】
標的Ａ（１）は、図示したように、円柱に一方端面を底面にして設置する使用方法と、標的Ａを横に倒して設置して（図示しない）、標的とする二通りの使用が可能である。
図中線分２０は、標的Ａ（１）の高さを示し、その長さは１０７ｍｍである。標的Ａ（１）を横に倒して使用する場合には、実際のゴルフホールの大きさと等しいパット練習用標的としても使用することが出来る。
【００２５】
図３は、標的の変形実施例を説明する説明図である。
標的Ｂ（１０）は、円柱の表面（一方端面である）７側を空洞にしたものである。底面６から２１．５ｍｍ上方に位置する中間線３０で区分される、下部円柱部分３１と上部円柱部分３２の密度を比較すると、下部円柱部分３１の密度が上部円柱部分３２の密度よりも大きい。なお、中間線３０は説明の理由から想定した線である。
ボールは、標的Ｂの底面からボール半径分の高さ（約２１．５ｍｍ）の位置に衝突するので、衝突位置よりも下方に位置する下部円柱密度が大きいことになる。従って、標的が倒れる確率が低くなり、標的の設置や、継続的なパット練習が容易となる。
【００２６】
下部円柱部分３１の密度を上部円柱部分３２の密度よりも大きくするには、他の手段をとることもできる。例えば、木製の標的の底面側に、ステンレススチールなどの金属材料を埋め込んだり、下部円柱部分と上部円柱部分の材質を変えたりするなどの手段が採用できる。
【００２７】
標的Ｂは、上部の側面に、穴を開けてもよい。穴の形状、大きさ、数に特別の制限はなく、任意の穴を設けることができる。
くりぬき、穴あけ等の変形実施例では、ボールが当たった時に発する音が、変更され、心地よい音が発せられる。したがって、気分的にも、好ましい練習標的とすることができる。さらに、側面や表面に意匠を施せば練習が楽しい道具になりうる。
【００２８】
図４は、本考案の他の実施例を説明する説明図である。
４１は円柱である。回転軸４２は、円柱４１の底面６に垂直である。４３は、回転軸４２に平行な仮想的平面を示している。
【００２９】
円柱４１を仮想的平面４３で分割すると、分割体Ｐ（４４）と分割体Ｑ（４５）に分割される。分割体Ｐと分割体Ｑのなかで、体積の大きいほう（本例においては、分割体Ｐ）を選択し、その形状を標的Ｃの形状とする。ちょうど半分に分割した場合には、どちらか一方を選択すればよい。
標的Ｃは、底面を下にして縦にして設置すれば、一方方向（円弧に正対する方向）からのパット練習が可能となる。さらに、標的Ｃを横に倒して設置して標的とする場合に、切断面を底面にして設置すれば、標的が転がりにくくなる。
【００３０】
次に衝撃センサーと音発生手段を具備するゴルフパット練習用標的を説明する。
図５は、衝撃センサーと音発生手段の一例を説明する説明図である。
【００３１】
図中５１は衝撃センサーである。箱体５２の中に円筒状の接触体５４が固定されており、上部吊り線５５と下部吊り線５６で支持された移動子５３が接触体５４の内部に位置付けられている。箱体５２はゴルフパット練習用標的の内部に固定される。接触体５４と移動子５３は電気の良導体から成る。下部吊り線５６は導線を兼ねている。電池６３から電線６１を通って接触体５４に電気回路が通じている。一方、電池６３から電線６２と導線兼用の下部吊り線５６を通って移動子５３に電気回路が通じている。６４は電流計である。
【００３２】
ゴルフパット練習用標的にゴルフボールが衝突すると、当該標的が振動又は移動する。衝撃センサーの箱体５２は当該標的に固定されていて、さらに接触体５４は箱体５２に固定されているので、当該標的の振動又は移動はそのまま接触体５４の振動又は移動となる。一方、移動子５３は自重量があり、慣性により元の空間位置に止まろうとする。そして移動子５３はつるまきバネ５７に連結された上部吊り線５５と下部吊り線５６に保持されている。
【００３３】
このため、移動子５３は接触体５４に対して相対的に移動し、移動子５３と接触体５４が接触する。接触により流れる電流は電流計６４で測定される。６５はコンパレーターであり、電流計６４の計測値をモニターし、電流値が大きくなった時に、検知信号を発する。
検知信号は、音発生手段であるブザー６７に送られ、当該検知信号によりブザー６７が動作を開始し、ブザー６７が音を発する。６６はタイマー回路であり、ブザーの動作開始から、一定時間経過後に、ブザーの発音動作を終了させる。
【００３４】
図中５８は下端がつるまきバネ５７に連結されたボルトである。調子調整ナットを回転させることにより、ボルトが上下して、上部吊り線５５と下部吊り線５６の張力を調整して、移動子５３の相対移動の程度を調整する。これにより衝撃センサーが検知信号を発する衝撃力のしきい値を変更することができる。
【００３５】
以上説明した衝撃センサーは一例であり、本考案にかかるゴルフパット練習用標的に具備する衝撃センサーとして、加速度を測定するための種々のセンサーを使用することができる。
また、音発生手段は音電気信号記憶メモリー、再生器、アンプ、スピーカー等により構成して、メロディーを発するようにすることもできる。さらには、音電気信号記憶メモリーに２種以上のメロディーを記憶し、ゴルフパット練習用標的に加えられる（ゴルフボールが当たる）衝撃の強度に応じて、発するメロディーを変えるように構成してもよい。
【産業上の利用可能性】
【００３６】
この考案にかかるゴルフパット練習用標的は、練習グリーン上、室内などに於いてゴルフパットの練習をする時に、標的として利用することができる。
【図面の簡単な説明】
【００３７】
【図１】標的Ａの使用状態を示す説明図である。
【図２】標的Ａの作用を説明する説明図である。
【図３】標的の変形実施例を説明する説明図である。
【図４】標的の他の実施例を説明する説明図である。
【図５】衝撃センサーと音発生手段の一例を説明する説明図である。
【符号の説明】
【００３８】
１    標的Ａ
２    ゴルフボール
３    パター
６    一方端面である底面
７    一方端面である表面
８    ホールの縁
１０  標的Ｂ
２０  標的Ａの高さを示す線分  
２１  ホールの直径を示す線分  
２２  ゴルフボールの直径を示す線分  
２３  標的Ａの底面（端面に平行な断面と等しい）の直径を示す線分  
【００３９】
３０  中間線
３１  下部円柱部分
３２  上部円柱部分
４２  底面に垂直な回転軸
４３  仮想的平面
５１  衝撃センサー
５３  移動子
５４  接触体
５９  調子調整ナット
６４  電流計
６５  コンパレーター
６６  タイマー回路
６７  音発生手段であるブザー
【図１】
0003108289.tif 000003
【図２】
0003108289.tif 000004
【図３】
0003108289.tif 000005
【図４】
0003108289.tif 000006
【図５】
0003108289.tif 000007